(57)【要約】【課題】仕切り板の取り付け位置をユーザーが適切に選択できるようにした容器を提供すること。【解決手段】底面部３と側壁面部とを有し，側壁面部に，底面部３との交線８，９が互いに平行である第１対辺部４および第２対辺部５を少なくとも含む容器１を対象とする。第１対辺部４および第２対辺部５の双方の内面に，底面部３との交線８，９の方向に反復して配置された複数の被係合形状部（１１または１３）が形成されている。そして両端が第１対辺部４および第２対辺部５の被係合形状部（１１または１３）に係合することで容器１の収容空間を仕切る，脱着自在な仕切り板を有している。さらに，第１対辺部４および第２対辺部５の被係合形状部（１１または１３）における，仕切り板を取り付けるためのペアを示すペアマーク１７と，ペアマーク１７の少なくとも一部について，他のペアマーク１７に対して区別して示す識別マーク１４とが形成されている。【選択図】図５
2020015508.tif 000002
【特許請求の範囲】
【請求項１】
底面部と側壁面部とを有し，前記側壁面部に，前記底面部との交線が互いに平行である第１対辺部および第２対辺部を少なくとも含む容器であって，
前記第１対辺部および前記第２対辺部の双方の内面に，前記底面部との交線の方向に反復して配置された複数の被係合形状部が形成されており，
両端が前記第１対辺部および前記第２対辺部の被係合形状部に係合することで容器の収容空間を仕切る，脱着自在な仕切り板を有し，さらに，
前記第１対辺部の被係合形状部および前記第２対辺部の被係合形状部における，前記仕切り板を取り付けるためのペアを示すペアマークと，
前記ペアマークの少なくとも一部について，他のペアマークに対して区別して示す識別マークとが形成されていることを特徴とする容器。
【請求項２】
請求項１に記載の容器であって，前記ペアマークおよび前記識別マークが，
前記底面部の上面に形成されていることを特徴とする容器。
【請求項３】
請求項２に記載の容器であって，前記ペアマークおよび前記識別マークが，
前記第１対辺部および前記第２対辺部における，前記ペアとなる被係合形状部同士の間に形成されていることを特徴とする容器。
【請求項４】
請求項３に記載の容器であって，
前記ペアマークは，前記ペアとなる被係合形状部同士を結ぶ方向の長尺状の図形であり，
前記識別マークは，前記ペアマークに重ねて配置された，前記ペアマークの長さ方向寸法より短く，前記ペアマークの幅方向寸法より幅広の図形であることを特徴とする容器。
【請求項５】
請求項４に記載の容器であって，
前記識別マークが，複数の群をなしており，
同一の群に属する識別マーク同士は，前記ペアマークの長さ方向における同じ位置に配置されており，
異なる群に属する識別マーク同士は，前記ペアマークの長さ方向における異なる位置に配置されていることを特徴とする容器。
【請求項６】
請求項４に記載の容器であって，
前記識別マークが，複数の群をなしており，
同一の群に属する識別マーク同士は，同じ外観のものであり，
異なる群に属する識別マーク同士は，異なる外観のものであることを特徴とする容器。
【発明の詳細な説明】
【技術分野】
【０００１】
本発明は，底面部と側壁面部とを有する容器に関する。さらに詳細には，脱着可能な仕切り板を装着することにより収容空間を仕切ることができるようになっている容器に関するものである。
【背景技術】
【０００２】
従来から，仕切り板を用いて収容空間を複数の区画に仕切ることができる容器が提案されている。特許文献１に記載されている「仕切りを備えたコンテナ」がその一例である。同文献の「コンテナ」は，その第７図に示されるように，コンテナ本体（１０）と主仕切り板（１８ｂ）とを有している。そして，コンテナ本体における対向する内壁面に多数の縦溝（１２，１６）が形成されている。主仕切り板は両端が縦溝に係合することでコンテナ本体に取り付けられており，収容空間を仕切っている。縦溝は両内壁面にそれぞれ複数形成されているので，主仕切り板の仕切り位置は適宜変更可能である。
【先行技術文献】
【特許文献】
【０００３】
【特許文献１】公開実用昭６１−１８３８２３号
【発明の概要】
【発明が解決しようとする課題】
【０００４】
しかしながら前記した従来の技術には，次のような問題点があった。主仕切り板の取り付けに際してその取り付け位置を選択するための指標となるものが，特に何かある訳ではないのである。このため主仕切り板を，目的とする収容物のサイズに対して最適な位置に取り付けることは，必ずしも容易ではなかった。主仕切り板の取り付け位置が，目的の収容物に対して間違った位置になってしまう場合があった。この場合，容器への収容物の収容ができなかった。あるいは無理に収容しようとして収容物または主仕切り板が破損することもあった。また，主仕切り板が，両内壁面における対向する縦溝同士間ではなく，ずれた縦溝同士間に斜めに取り付けられてしまうこともあった。この場合，主仕切り板の取付状態が不安定であった。
【０００５】
本発明は，前記した従来の技術が有する問題点を解決するためになされたものである。すなわちその課題とするところは，仕切り板の取り付け位置をユーザーが適切に選択できるようにした容器を提供することにある。
【課題を解決するための手段】
【０００６】
本発明の一態様における容器は，底面部と側壁面部とを有し，側壁面部に，底面部との交線が互いに平行である第１対辺部および第２対辺部を少なくとも含む容器であって，第１対辺部および第２対辺部の双方の内面に，底面部との交線の方向に反復して配置された複数の被係合形状部が形成されており，両端が第１対辺部および第２対辺部の被係合形状部に係合することで容器の収容空間を仕切る，脱着自在な仕切り板を有し，さらに，第１対辺部の被係合形状部および第２対辺部の被係合形状部における，仕切り板を取り付けるためのペアを示すペアマークと，ペアマークの少なくとも一部について，他のペアマークに対して区別して示す識別マークとが形成されているものである。
【０００７】
上記態様における容器では，第１対辺部および第２対辺部の内面の被係合形状部を利用して仕切り板を取り付けることで，容器の収容空間を仕切ることができる。この仕切り板の取り付けの際，ペアマークを参照することで，第１対辺部および第２対辺部における対向するペアとなる被係合形状部同士をユーザーが視覚的に認識できる。これにより仕切り板の斜め装着が防止される。また，識別マークを参照しつつ仕切り板の取り付け位置を選択することができる。このように識別マークを取り付け位置選択の目安とすることで，仕切り板の取り付け位置をユーザーが適切に選択することができる。
【０００８】
上記態様の容器ではさらに，ペアマークおよび識別マークが，底面部の上面に形成されていることが望ましい。ペアマークおよび識別マークが，底面部を上方から見て認識できる位置に形成されていることで，仕切り板の取り付けの際にユーザーがペアマークおよび識別マークを容易に視認できるからである。
【０００９】
その場合にはさらに，ペアマークおよび識別マークが，第１対辺部および第２対辺部における，ペアとなる被係合形状部同士の間に形成されていることが望ましい。ペアマークおよび識別マークがこのような配置になっていることで，第１対辺部および第２対辺部におけるどの被係合形状部同士がペアであるのか，またどのペアマークを取り付け位置選択の基準としようとするのか，ユーザーが容易に認識できるからである。
【００１０】
さらにその場合，ペアマークは，ペアとなる被係合形状部同士を結ぶ方向の長尺状の図形であり，識別マークは，ペアマークに重ねて配置された，ペアマークの長さ方向寸法より短く，ペアマークの幅方向寸法より幅広の図形であることが望ましい。長尺状のペアマークにより，ペアとなる被係合形状部と被係合形状部とを明瞭に認識できるからである。また，ペアマークの形状と異なる形状の識別マークを用いることで，両者を区別して認識することができるからである。
【００１１】
その場合にはさらに，識別マークが，複数の群をなしており，同一の群に属する識別マーク同士は，ペアマークの長さ方向における同じ位置に配置されており，異なる群に属する識別マーク同士は，ペアマークの長さ方向における異なる位置に配置されていることが望ましい。あるいは，同一の群に属する識別マーク同士は，同じ外観のものであり，異なる群に属する識別マーク同士は，異なる外観のものであることとしてもよい。
【００１２】
このようにして識別マークにおける「群」を視覚的に認識できるようにしておくことで，ユーザーに，仕切り板の取り付け位置の標準的なパターンを提供することができる。ユーザーとしては識別マークにおける群に従って仕切り板の取り付け位置を選択することで，標準的なパターンに沿った仕切り板の取り付け状態を容易に再現することができる。
【発明の効果】
【００１３】
本構成によれば，仕切り板の取り付け位置をユーザーが適切に選択できるようにした容器が提供されている。
【図面の簡単な説明】
【００１４】
【図１】実施の形態に係る容器の斜視図である。
【図２】仕切り板をすべて取り除いて示す容器の斜視図である。
【図３】仕切り板の単体の斜視図（その１）である。
【図４】仕切り板の単体の斜視図（その２）である。
【図５】仕切り板を取り除いた状態で示す容器の平面図である。
【図６】仕切り板を取りつけた状態での容器の，仕切り板の板面と平行な方向の断面図である。
【図７】仕切り板を取りつけた状態で示す容器の平面図（その１）である。
【図８】仕切り板を取りつけた状態で示す容器の平面図（その２）である。
【図９】識別マークの別の例を示す模式図である。
【発明を実施するための形態】
【００１５】
以下，本発明を具体化した実施の形態について，添付図面を参照しつつ詳細に説明する。本形態は，図１に示す容器１として本発明を具体化したものである。図１中の容器１の収容空間内には，仕切り板２が取り付けられている。仕切り板２により容器１の収容空間が複数の区画に仕切られている。仕切り板２は容器１から着脱自在である。仕切り板２の枚数は任意である。図１の容器１から仕切り板２をすべて取り除いた容器本体を図２に示す。取り外した仕切り板２を図３，図４に示す。図３は仕切り板２を上方から見下ろす斜視図であり，図４は仕切り板２を下方から見上げる斜視図である。
【００１６】
図２の容器１は，底面部３と，長辺側壁面部４，５と，短辺側壁面部６，７とを有している。長辺側壁面部４と底面部３との交線８と，長辺側壁面部５と底面部３との交線９とは平行である。長辺側壁面部４の内面には，複数の縦リブ１１が形成されている。各縦リブ１１は，底面部３に対して垂直に形成された凸状の部位である。各縦リブ１１はまた，交線８の方向に等ピッチに反復して配置されている。縦リブ１１同士の間は縦溝１３となっている。縦溝１３も縦リブ１１と同様に，底面部３に対して垂直であり，交線８の方向に等ピッチに反復する配置となっている。図２では見えていないが，長辺側壁面部５の内面にも同様に複数の縦リブ１１および縦溝１３が形成されている。
【００１７】
図２の容器１の底面部３にはさらに，ペアマーク１７，識別マーク１４，凹状部１５が形成されている。図５により，縦リブ１１，縦溝１３，ペアマーク１７，識別マーク１４，凹状部１５の関係を説明する。図５に示されるように，長辺側壁面部４の縦溝１３の正面には長辺側壁面部５の縦溝１３が配置されており，長辺側壁面部４の縦リブ１１の正面には長辺側壁面部５の縦リブ１１が配置されている。すなわち，長辺側壁面部４と長辺側壁面部５とで，縦溝１３同士が，また縦リブ１１同士が，互いに対向する配置となっている。
【００１８】
さらに，底面部３における，対向する縦溝１３同士の中間の位置には，凹状部１５が形成されている。凹状部１５は，図５中の左右の対向する縦溝１３同士を結ぶ方向に長尺状の形状に形成された凹状の部分である。凹状部１５は，仕切り板２を取り付けるための形状である。ペアマーク１７は，図５中の左右の対向する縦溝１３同士を結んで形成された直線状の図形である。ペアマーク１７の途中に凹状部１５が位置している。ただしペアマーク１７は，すべての対向する縦溝１３同士の間に必ず引かれている訳ではない。図５に示されるように，対向する縦溝１３同士の間でも，ペアマーク１７が引かれている箇所もあれば引かれていない箇所もある。なお，すべての対向する縦溝１３同士の間に必ずペアマーク１７が引かれている構成であってもよい。また，ペアマーク１７の直線は細溝でもよいし，仕切り板２の取り付けに支障のない程度であれば隆起でもよい。
【００１９】
識別マーク１４は，ペアマーク１７の途中の位置であって凹状部１５以外の位置に形成されている図形である。識別マーク１４は，ペアマーク１７に比べれば短くて太い図形である。このようにペアマーク１７と識別マーク１４とでは外観形状が明確に異なるので，ユーザーが両者を混同することはない。図５では，識別マーク１４の例として円形の貫通孔を示している。ペアマーク１７の長手方向（すなわち対向する縦溝１３同士を結ぶ方向）に対して識別マーク１４が形成されている位置は，識別マーク１４ごとに異なる。この点については後述する。
【００２０】
仕切り板２についてさらに説明する。図３，図４に示した仕切り板２には，主板部１９と，その両端の係合部２０，２０とが設けられている。さらに，主板部１９の下辺には，凸状部２１が設けられている。係合部２０，２０は，仕切り板２を図１に示したように容器１に取り付けた状態で水平方向の一端および他端に位置する場所に設けられている。むろんこれらは，長辺側壁面部４側および長辺側壁面部５側の縦溝１３にそれぞれ係合するように設定されたものである。このため係合部２０，２０は，主板部１９よりやや肉厚とされている。凸状部２１は，主板部１９に対して下向きに突出した形状の部位である。むろん凸状部２１は，仕切り板２を容器１に取り付けた状態で底面部３の凹状部１５に嵌り込むように設定されたものである。図６に，仕切り板２を取りつけた状態での容器１の断面図を示す。図６に現れている断面は，仕切り板２の板面と平行な方向の断面である。
【００２１】
上記のように構成された本形態の容器１および仕切り板２においては，仕切り板２を容器１に取り付けるに際して，ペアマーク１７および識別マーク１４による特有の利点がある。以下，これらの利点について説明する。
【００２２】
まずペアマーク１７による利点を説明する。ペアマーク１７の利点は，仕切り板２の取り付け位置の選択の目標となることと，斜め装着の防止との二点である。
【００２３】
すなわち，容器１に仕切り板２が装着されている状態から，一旦仕切り板２を外して，その後再度仕切り板２を取り付ける状況を考える。このとき，もともと仕切り板２が，いずれかのペアマーク１７の真上に付いていたのであれば，そのペアマーク１７のあるところに仕切り板２を取り付けることで，元と同じ取り付け位置を再現することができる。もともと仕切り板２が，ペアマーク１７のない箇所に付いていた場合でも，仕切り板２の下端と近隣のペアマーク１７との間隔が元と同じになるようにすることで，元と同じ取り付け位置を再現することができる。
【００２４】
仕切り板２の取り付け位置を変更して再装着しようとする場合でも，ペアマーク１７が有用である。すなわち，もともと仕切り板２が付いていた位置もしくはその近隣の位置のペアマーク１７を基準として新たな取り付け位置を選択することができる。これにより，元の取り付け位置に対してどちら向きに何ピッチずらして取り付けるのか，明確に認識しつつ，再取り付けを行うことができる。
【００２５】
また，容器１に仕切り板２を装着する際，ペアマーク１７を目標とすることで，斜め装着を防止することができる。すなわち，ペアマーク１７のある位置に仕切り板２を取り付ける場合には，そのペアマーク１７の全体が仕切り板２の下端により隠されるようにすればよい。ペアマーク１７のない位置に仕切り板２を取り付ける場合には，仕切り板２の下端と，取り付け位置の近隣のペアマーク１７とが平行になるようにすればよい。
【００２６】
次に識別マーク１４による利点を説明する。識別マーク１４の利点は，仕切り板２の取り付け位置の標準的なパターンをユーザーに視覚的に提供することにある。図５によりこのことを説明する。図５中には，Ａ〜Ｇの文字およびそれらのすぐ下の下向きの矢印が表示されている。これらの文字および矢印は，容器１に実際に表示されている訳ではなく，識別マーク１４の機能の説明のために図５中に書き込んだものである。ただし，容器１に実際にこれらの文字や矢印が表示されていても別段問題はない。
【００２７】
図５中のこれらの文字および矢印は，識別マーク１４の群の概念を示している。Ａの文字の下方にある５個の識別マーク１４は，Ａ群に属する識別マーク１４である。同様に，Ｂ群（４個），Ｃ群（３個），Ｄ群（２個），Ｅ群（２個），Ｆ群（２個），Ｇ群（１個）の各群が存在する。同じ群に属する識別マーク１４同士は，ペアマーク１７の長手方向（図５中で左右方向）に対して同じ位置に配置されている。しかし異なる群に属する識別マーク１４同士は，当該方向に対して異なる位置に配置されている。このためユーザーは，各識別マーク１４について，ペアマーク１７の長手方向における位置により，どれとどれが同じ群に属するのか，また異なる群に属するのか，視覚的に認識できる。
【００２８】
このうちＡ群は，５枚の仕切り板２を容器１に取り付ける場合の標準的な取り付け位置のパターンを示している。他の群も同様に，それぞれの群ごとの枚数の仕切り板２を容器１に取り付ける場合の標準的なパターンを示している。例として，図７に，Ｂ群のパターンに従って４枚の仕切り板２を容器１に取り付けた状態の平面図を示す。図８に，Ｅ群のパターンに従って２枚の仕切り板２を容器１に取り付けた状態の平面図を示す。むろん，他の群についても同様にその群のパターンに従った仕切り板２の取り付けが可能である。このようなことをユーザーは，識別マーク１４の位置を目安にして容易に行うことができる。
【００２９】
むろんユーザーがどの位置に仕切り板２を取り付けるかは自由であり，識別マーク１４の群のパターンに従う必要はない。しかし識別マーク１４の群を目安とすることで，取り付けの都度，同じパターンを容易に再現することができる。なお，上記から明らかなように，同じ枚数の仕切り板２の取り付けに対して複数種類のパターン（Ｄ群，Ｅ群，Ｆ群がその例）があってもよい。また，１つの識別マーク１４のみを含む群（Ｇ群がその例）があってもよい。また，図５から分かるように，１本のペアマーク１７に複数個の識別マーク１４が付されている例があってもよい。すなわち，１の群に属するペアマーク１７ばかりでなく，複数の群に属するペアマーク１７があってもよい。逆に，識別マーク１４が付されていないペアマーク１７があってもよい。また，ペアマーク１７のない箇所に識別マーク１４が配置されていてもよい。
【００３０】
図５の例では，識別マーク１４の群分けを，ペアマーク１７の長手方向上の位置で行っている。しかし識別マーク１４の群分けの手法はこれだけではない。図９に示すように，識別マーク１４の形状により行ってもよい。図９の例では，識別マーク１４の形状に複数種類がある。この形状の相違により，識別マーク１４の群をユーザーに視覚的に認識させることもできる。なお図９の例では，識別マーク１４の位置と形状とをいずれも群ごとに変えている。しかしこれに限らず，位置は皆同じにして形状の相違のみで識別マーク１４の群分けを示す態様も可能である。
【００３１】
以上詳細に説明したように本実施の形態によれば，平行に対向する長辺側壁面部４，５の内面に，被係合形状部である縦リブ１１および縦溝１３を反復的に設け，仕切り板２の取り付け位置をユーザーが自由に選択できるようにしている。ここにおいて，容器１にペアマーク１７と識別マーク１４とを設けている。これにより仕切り板２の取り付け位置の目安を提供し，仕切り板２の取り付け位置をユーザーが適切に選択できるようにしている。こうすることで，仕切り板２の取り付け位置の再現性を容易に向上し，斜め装着の防止をも達成した容器１が実現されている。
【００３２】
なお，本実施の形態は単なる例示にすぎず，本発明を何ら限定するものではない。したがって本発明は当然に，その要旨を逸脱しない範囲内で種々の改良，変形が可能である。例えば前記形態では，ペアマーク１７を，対向する縦溝１３同士の間に引いているが，対向する縦リブ１１同士の間に引いてもよい。ペアマーク１７の形状自体も，単純な直線に限らず，破線や波線等でもよいし，ある程度の幅があってもよい。また，溝状や隆起状の他に，底面部３を貫通するスリット状であってもよい。あるいは，色彩を他の部分と別にしたものであってもよく，その場合は形状的には平坦であってもよい。外観的に認識できれば十分だからである。
【００３３】
また，識別マーク１４についても，前述の貫通孔の他に有底穴でもよいし，仕切り板２の取り付けに支障のない程度であれば隆起でもよい。色彩を他の部分と別にしたものであってもよく，その場合は形状的には平坦であってもよい。また，隆起あるいは色彩による場合，前述の形状の相違の例として，前述の幾何学図形の他に文字等の記号でもよい。大きさのみの相違であってもよい。これも外観的にその存在や相違を認識できれば十分だからである。また，識別マーク１４の群分けをペアマーク１７の長手方向に対する位置で行う場合，前記形態では同じ群に属する識別マーク１４同士は同じ位置であることとした。ここで言う同じ位置の精度は，一見して同じ位置と認識できる程度で十分であり，高い精度で同じ位置である必要はない。例えば，同じ群に属する識別マーク１４の長手方向位置のばらつきが，異なる群に属する識別マーク１４の群ごとの平均位置の間隔の半分以下であれば，同じ位置と見なしてよい。
【００３４】
また，ペアマーク１７や識別マーク１４の形成位置を，前記形態では底面部３の上面としたが，これも必須事項ではない。例えば，長辺側壁面部４および長辺側壁面部５の内面にこれらのマークを付することも可能である。この場合のペアマーク１７はペアを結ぶ方向の長尺状にはならないが，対向するペアとなる箇所同士に同じマークを付することで，ペアを示すことが可能である。ただし，前記形態のように底面部３の上面側から視認可能な位置にこれらのマークを形成した方が，仕切り板２の取り付けの際に認識しやすいという点ではより有利である。
【００３５】
また，前記形態では，長辺側壁面部４，５の内面に縦リブ１１を凸状に設けることにより，それらの間を縦溝１３として利用している。しかしこれに限らず，長辺側壁面部４，５の内面に掘り込み状に縦溝１３を形成することで，それらの間を事実上の縦リブ１１として利用する形であってもよい。また，縦リブ１１および縦溝１３は，必ずしも等ピッチに形成されているものでなくてもよい。また，縦溝や縦リブの断面形状は，角が丸められている形状であってもよい。前記形態ではまた，容器１が一体成形品であるように図中には描いたが，このことも必須ではない。底面部と各側壁面部がそれぞれ独立した部品であり組み合わせて容器状をなすものでもよい。その場合に折り畳み可能でもよい。
【００３６】
また，仕切り板２についても変形が可能である。前記形態では係合部２０を主板部１９よりやや厚い形状としたが，係合部２０の厚さは縦溝１３の間隔との関係で決まるものであり，主板部１９の厚さとの関係は任意である。また，係合部２０の形状自体も任意である。例えば，主板部１９を，縦溝１３の正面ではなく縦リブ１１の正面に位置させる形状であってもよい。係合部２０を主板部１９に対して厚さ方向にオフセットして設けたり，あるいは２枚に分岐した形状の係合部２０とすることでそれを実現できる。
【００３７】
また，両端の係合部２０の形状は違っていてもよい。例えば，一方の係合部が主板部１９を縦溝１３の正面に位置させる形状で，もう一方の係合部が主板部１９を縦リブ１１の正面に位置させる形状になっているものであってもよい。ただしその場合，長辺側壁面部４および長辺側壁面部５の内面形状が，一方の縦リブ１１の正面にもう一方の縦溝１３が位置する半ピッチずれ状の配置になっている必要がある。
【００３８】
また，仕切り板２の凸状部２１および底面部３の凹状部１５は，必須のものではない。凹状部１５を設ける場合，底面部３を貫通するスリット状であってもよい。また，容器１における仕切り板２の取り付け方向は，前述の，長辺側壁面部４と長辺側壁面部５とを結ぶ方向には限られない。短辺側壁面部６と短辺側壁面部７とを結ぶ方向であってもよい。容器１自体が上方から見てほぼ正方形であってもよい。仕切り板２の取り付け対象でない壁面部は，直線状でなくてもよい。
【００３９】
また，仕切り板２にも縦溝および縦リブを設けてもよい。この場合，仕切り板２により区画された一方の区域を１つの容器と見て，仕切り板２もその側壁面部の一部分をなすものと見ることができる。そしてその範囲内に対して本発明を適用することとなる。従ってその場合，区画された一方の区域が，小さい仕切り板によりさらに区画され，その小さい仕切り板の取り付けに対して本発明の作用効果が奏されることになる。
【符号の説明】
【００４０】
１      容器
２      仕切り板
３      底面部
４，５  長辺側壁面部
８，９  交線
１１    縦リブ（被係合形状部）
１３    縦溝（被係合形状部）
１４    識別マーク
１７    ペアマーク
【図１】
2020015508.tif 000003
【図２】
2020015508.tif 000004
【図３】
2020015508.tif 000005
【図４】
2020015508.tif 000006
【図５】
2020015508.tif 000007
【図６】
2020015508.tif 000008
【図７】
2020015508.tif 000009
【図８】
2020015508.tif 000010
【図９】
2020015508.tif 000011